(57)【要約】【課題】個人ユーザであっても高度なインターホン機能を安価な費用で利用可能とする。【解決手段】インターホン端末ＩＵにＳＩＰ対応機能を持たせて第１のＩＰ通信網ＮＷ１に接続し、かつ第１のＩＰ通信網ＮＷ１にＳＩＰアプリケーションサーバ３１及びメディアサーバ３２を接続する。そして、インターホン端末ＩＵからＳＩＰ信号による呼出要求が送られた場合に、ＳＩＰアプリケーションサーバ３１の制御の下で、インターホン端末ＩＵとメディアサーバ３３との間にセッションを確立してメディアサーバ３２からインターホン端末ＩＵへ応答メッセージを送信し、さらに端末ＩＤ対応記憶部３５に記憶される端末ＩＤをもとに呼出先の通信端末とインターホン端末ＩＵとの間にセッションを確立して両端末間で通話を可能にする。【選択図】図１
2010278984.tif 000002
【特許請求の範囲】
【請求項１】
通信プロトコルとしてＳＩＰ（Session Initiation Protocol）を使用しかつＳＩＰ対応の複数のユーザ端末が接続される通信ネットワークに接続されるネットワークアプリケーションサーバと、このネットワークアプリケーションサーバとの間で前記通信ネットワークを介してＳＩＰにより通信が可能な複数のインターホン端末とを具備し、
前記ネットワークアプリケーションサーバは、
前記複数のインターホン端末の識別情報に対応付けて、呼出先となるユーザ端末の識別情報を記憶する識別情報記憶手段と、
応答メッセージを生成するメッセージ生成手段と、
前記インターホン端末から送信される当該端末の識別情報を含む呼出要求を前記通信ネットワークを介して受信した場合に、前記要求元のインターホン端末との間にＳＩＰによるセッションを確立して、前記メッセージ生成手段により生成される応答メッセージを前記呼出要求元のインターホン端末へ送信させる第１の通信制御手段と、
前記呼出要求に含まれるインターホン端末の識別情報をもとに呼出先となるユーザ端末の識別情報を前記識別情報記憶手段から読み出し、この読み出した識別情報をもとに前記呼出要求元のインターホン端末と呼出先のユーザ端末との間にＳＩＰによるセッションを確立して両端末間で通信を可能にする第２の通信制御手段と
を備えることを特徴とするインターホンシステム。
【請求項２】
通信プロトコルとしてＳＩＰ（Session Initiation Protocol）を使用しかつＳＩＰ対応の複数のユーザ端末が接続される通信ネットワークに接続されるネットワークアプリケーションサーバと、前記通信ネットワークに接続され前記ネットワークアプリケーションサーバとの間でＳＩＰによる通信が可能なメディアサーバと、前記ネットワークアプリケーションサーバ及びメディアサーバとの間で前記通信ネットワークを介してＳＩＰにより通信が可能な複数のインターホン端末とを具備し、
前記ネットワークアプリケーションサーバは、
前記複数のインターホン端末の識別情報に対応付けて、呼出先となるユーザ端末の識別情報を記憶する識別情報記憶手段と、
前記インターホン端末から送信される当該端末の識別情報を含む呼出要求を前記通信ネットワークを介して受信した場合に、前記要求元のインターホン端末と前記メディアサーバとの間にＳＩＰによるセッションを確立して、当該メディアサーバから前記呼出要求元のインターホン端末へ応答メッセージを送信させる第１の通信制御手段と、
前記呼出要求に含まれるインターホン端末の識別情報をもとに呼出先となるユーザ端末の識別情報を前記識別情報記憶手段から読み出し、この読み出した識別情報をもとに前記呼出先となるユーザ端末と前記メディアサーバとの間、及び前記呼出要求元のインターホン端末と前記メディアサーバとの間にそれぞれＳＩＰによるセッションを確立して、前記呼出先となるユーザ端末と前記呼出要求元のインターホン端末との間で前記メディアサーバを経由した通信を可能にする第２の通信制御手段と
を備えることを特徴とするインターホンシステム。
【請求項３】
前記識別情報記憶手段は、前記複数のインターホン端末の識別情報に対応付けて、呼出先となる複数のユーザ端末の識別情報と、その呼出優先順位を表す情報を記憶し、
前記第２の通信制御手段は、前記識別情報記憶手段に記憶された呼出優先順位を表す情報に従い、前記呼出要求元のインターホン端末と呼出先のユーザ端末との間に順にＳＩＰによるセッションを確立することを特徴とする請求項１又は２に記載のインターホンシステム。
【請求項４】
前記インターホン端末が、訪問者の画像を撮像してその画像データをＳＩＰにより送信する手段を有する場合に、
前記メディアサーバは、前記呼出先となるユーザ端末と前記メディアサーバとの間に確立されたセッションと、前記呼出要求元のインターホン端末と前記メディアサーバとの間に確立されたセッションを中継している状態で、前記インターホン端末と前記ユーザ端末との間で伝送される音声データ及び画像データを選択的に記憶する手段を、さらに備えることを特徴とする請求項２に記載のインターホンシステム。
【請求項５】
前記ネットワークアプリケーションサーバは、
前記第１及び第２の通信制御手段による通信結果をもとに前記呼出要求に対する応答履歴を表す情報を作成し、この応答履歴情報を該当するインターホン端末又はユーザ端末の識別情報に対応付けて応答履歴記憶手段に記憶させる手段と、
前記ユーザ端末から送信される閲覧要求を受信した場合に、当該閲覧要求に含まれる閲覧対象の端末の識別情報をもとに前記応答履歴記憶手段から該当する応答履歴情報を読み出し、この読み出された応答履歴情報を前記要求元のユーザ端末に送信する手段と
を、さらに備えることを特徴とする請求項１又は２に記載のインターホンシステム。
【請求項６】
通信プロトコルとしてＳＩＰ（Session Initiation Protocol）を使用しかつＳＩＰ対応の複数のユーザ端末が接続される通信ネットワークに接続されるネットワークアプリケーションサーバと、このネットワークアプリケーションサーバとの間で前記通信ネットワークを介してＳＩＰにより通信が可能な複数のインターホン端末とを具備するインターホンシステムで使用される通信制御方法であって、
前記ネットワークアプリケーションサーバが、前記複数のインターホン端末の識別情報に対応付けて呼出先となるユーザ端末の識別情報を識別情報メモリに記憶する過程と、
前記ネットワークアプリケーションサーバが、前記インターホン端末から送信される当該端末の識別情報を含む呼出要求を前記通信ネットワークを介して受信した場合に、前記要求元のインターホン端末との間にＳＩＰによるセッションを確立して、予め生成された応答メッセージを前記呼出要求元のインターホン端末へ送信する第１の通信過程と、
前記ネットワークアプリケーションサーバが、前記呼出要求に含まれるインターホン端末の識別情報をもとに呼出先となるユーザ端末の識別情報を前記識別情報メモリから読み出し、この読み出した識別情報をもとに前記呼出要求元のインターホン端末と呼出先のユーザ端末との間にＳＩＰによるセッションを確立して両端末間で通信を可能にする第２の通信過程と
を具備することを特徴とするインターホンシステムの通信制御方法。
【請求項７】
通信プロトコルとしてＳＩＰ（Session Initiation Protocol）を使用しかつＳＩＰ対応の複数のユーザ端末が接続される通信ネットワークに接続されるネットワークアプリケーションサーバと、前記通信ネットワークに接続され前記ネットワークアプリケーションサーバとの間でＳＩＰによる通信が可能なメディアサーバと、前記ネットワークアプリケーションサーバ及びメディアサーバとの間で前記通信ネットワークを介してＳＩＰにより通信が可能な複数のインターホン端末とを具備するインターホンシステムの通信制御方法であって、
前記ネットワークアプリケーションサーバが、前記複数のインターホン端末の識別情報に対応付けて呼出先となるユーザ端末の識別情報を識別情報メモリに記憶する登録過程と、
前記ネットワークアプリケーションサーバが、前記インターホン端末から送信される当該端末の識別情報を含む呼出要求を前記通信ネットワークを介して受信した場合に、前記要求元のインターホン端末と前記メディアサーバとの間にＳＩＰによるセッションを確立して、当該メディアサーバから前記呼出要求元のインターホン端末へ応答メッセージを送信する第１の通信過程と、
前記呼出要求に含まれるインターホン端末の識別情報をもとに呼出先となるユーザ端末の識別情報を前記識別情報メモリから読み出し、この読み出した識別情報をもとに前記呼出先となるユーザ端末と前記メディアサーバとの間、及び前記呼出要求元のインターホン端末と前記メディアサーバとの間にそれぞれＳＩＰによるセッションを確立して、前記呼出先となるユーザ端末と前記呼出要求元のインターホン端末との間で前記メディアサーバを経由した通信を可能にする第２の通信過程と
を具備することを特徴とするインターホンシステムの通信制御方法。
【請求項８】
前記登録過程は、前記複数のインターホン端末の識別情報に対応付けて、呼出先となる複数のユーザ端末の識別情報と、その呼出優先順位を表す情報を記憶し、
前記第２の通信過程は、前記識別情報メモリに記憶された呼出優先順位を表す情報に従い、前記呼出要求元のインターホン端末と呼出先のユーザ端末との間に順にＳＩＰによるセッションを確立することを特徴とする請求項６又は７に記載の通信制御方法。
【請求項９】
前記インターホン端末が、訪問者の画像を撮像してその画像データをＳＩＰにより送信する機能を有する場合に、
前記呼出先となるユーザ端末と前記メディアサーバとの間に確立されたセッションと、前記呼出要求元のインターホン端末と前記メディアサーバとの間に確立されたセッションを前記メディアサーバが中継している状態で、前記インターホン端末と前記ユーザ端末との間で伝送される音声データ及び画像データを前記メディアサーバにより選択的に記憶する過程を、さらに具備することを特徴とする請求項７に記載の通信制御方法。
【請求項１０】
前記ネットワークアプリケーションサーバが、前記第１及び第２の通信過程による通信結果をもとに前記呼出要求に対する応答履歴を表す情報を作成し、この応答履歴情報を該当するインターホン端末又はユーザ端末の識別情報に対応付けて応答履歴記憶手段に記憶させる過程と、
前記ネットワークアプリケーションサーバが、前記ユーザ端末から送信される閲覧要求を受信した場合に、当該閲覧要求に含まれる閲覧対象の端末の識別情報をもとに前記応答履歴記憶手段から該当する応答履歴情報を読み出し、この読み出された応答履歴情報を前記要求元のユーザ端末に送信する過程と
を、さらに具備することを特徴とする請求項６又は７に記載の通信制御方法。
【発明の詳細な説明】
【技術分野】
【０００１】
この発明は、インターホン端末による呼び出しに対し固定電話端末や携帯電話端末により応答を可能にしたインターホンシステムとその通信方法に関する。
【背景技術】
【０００２】
一般に、インターホンシステムは玄関ドアや門柱に設置されるインターホン端末（ドアホン）と屋内に設置される親機とからなり、インターホン端末からの呼出信号の受け付けから、インターホン端末と親機との間に通信路を形成する処理、応対終了後の通信路の切断までの処理を親機が行うように構成されている。しかし、この種のシステムは親機にすべての機能を持たせているため、例えば呼び出しに対する自動応答機能や、訪問者の音声や画像を記録する機能、家族が使用する固定電話端末や携帯電話端末との連携を可能にする機能等のさらに高度な機能を実現することが困難である。  
そこで、最近ではインターホン端末をＬＡＮ等を介して構内サーバに接続し、この構内サーバに携帯電話端末との連係機能等の高度な各種機能を持たせたシステムが提案されている（非特許文献１を参照。）。
【先行技術文献】
【非特許文献】
【０００３】
【非特許文献１】「集合住宅向け新規携帯電話サービスの展開について」、プレスルーム、プレスリリース２００８年、株式会社アクロディア、インターネット＜URL:http://www.acrodea.co.jp/press/2008/20080227_02/index.html＞
【発明の概要】
【発明が解決しようとする課題】
【０００４】
ところが、構内サーバを用いるシステムは高度な機能を実現可能であるが、高価な構内サーバを設置する必要があり、マンション等の集合住宅用として導入することは可能であっても、個人の住宅用として導入することはきわめて困難である。
この発明は上記事情に着目してなされたもので、その目的とするところは、個人ユーザであっても高度なインターホン機能を安価な費用で利用可能としたインターホンシステムとその通信方法を提供することにある。
【課題を解決するための手段】
【０００５】
上記目的を達成するためにこの発明の第１の観点は、通信プロトコルとしてＳＩＰ（Session Initiation Protocol）を使用しかつＳＩＰ対応の複数のユーザ端末が接続される通信ネットワークに接続されるネットワークアプリケーションサーバと、このネットワークアプリケーションサーバとの間で上記通信ネットワークを介してＳＩＰにより通信が可能な複数のインターホン端末とを具備するインターホンシステムにあって、ネットワークアプリケーションサーバに以下のような構成要素を備えるようにしたものである。  
すなわち、複数のインターホン端末の識別情報に対応付けて、呼出先となるユーザ端末の識別情報を識別情報記憶手段に記憶しておく。そして、インターホン端末から送信される当該端末の識別情報を含む呼出要求を上記通信ネットワークを介して受信した場合に、上記要求元のインターホン端末との間にＳＩＰによるセッションを確立して、メッセージ生成手段により生成される応答メッセージを上記呼出要求元のインターホン端末へ送信させる。またそれと共に、上記呼出要求に含まれるインターホン端末の識別情報をもとに呼出先となるユーザ端末の識別情報を上記識別情報記憶手段から読み出し、この読み出した識別情報をもとに上記呼出要求元のインターホン端末と呼出先のユーザ端末との間にＳＩＰによるセッションを確立して両端末間で応対のための通信を可能にするものである。
【０００６】
したがって、複数のインターホン端末からの呼び出しに対する応答処理がＳＩＰアプリケーションサーバにより一括して行われることになる。言い換えれば、複数のインターホン端末が１台のＳＩＰアプリケーションサーバを共有することになる。このため、呼び出しに対する応答処理機能等をすべて備えたインターホンシステムをユーザごとに設置する必要がなくなり、また複数のユーザがインターホンの応答処理機能等を共有するために構内サーバ等を設置する必要もなくなる。したがって、インターホンシステムを設置する際のユーザの費用負担を大幅に軽減できる。
【０００７】
一方、上記目的を達成するためにこの発明の第２の観点は、通信プロトコルとしてＳＩＰ（Session Initiation Protocol）を使用しかつＳＩＰ対応の複数のユーザ端末が接続される通信ネットワークに接続されるネットワークアプリケーションサーバと、上記通信ネットワークに接続され上記ネットワークアプリケーションサーバとの間でＳＩＰによる通信が可能なメディアサーバと、上記ネットワークアプリケーションサーバ及びメディアサーバとの間で上記通信ネットワークを介してＳＩＰにより通信が可能な複数のインターホン端末とを具備するインターホンシステムにあって、ネットワークアプリケーションサーバに以下のような構成要素を備えるようにしたものである。  
すなわち、上記複数のインターホン端末の識別情報に対応付けて呼出先となるユーザ端末の識別情報を識別情報記憶手段に記憶しておく。そして、インターホン端末から送信される当該端末の識別情報を含む呼出要求を上記通信ネットワークを介して受信した場合に、上記要求元のインターホン端末と上記メディアサーバとの間にＳＩＰによるセッションを確立して、当該メディアサーバから上記呼出要求元のインターホン端末へ応答メッセージを送信させる。またそれと共に、上記呼出要求に含まれるインターホン端末の識別情報をもとに呼出先となるユーザ端末の識別情報を上記識別情報記憶手段から読み出し、この読み出した識別情報をもとに上記呼出先となるユーザ端末と上記メディアサーバとの間、及び上記呼出要求元のインターホン端末と上記メディアサーバとの間にそれぞれＳＩＰによるセッションを確立して、これらのセッション間をメディアサーバにより中継するものである。
【０００８】
したがって、この場合にも、複数のインターホン端末からの呼び出しに対する応答処理がＳＩＰアプリケーションサーバとメディアサーバにより一括して行われることになる。言い換えれば、複数のインターホン端末が１台のＳＩＰアプリケーションサーバとメディアサーバを共有することになる。このため、先に述べたこの発明の第１の観点と同様に、呼び出しに対する応答処理機能等をすべて備えたインターホンシステムをユーザごとに設置する必要がなくなり、また複数のユーザがインターホンの応答処理機能等を共有するために構内サーバ等をローカルネットワークに設置する必要もなくなる。したがって、インターホンシステムを設置する際のユーザの費用負担を大幅に軽減できる。
【０００９】
また、この発明の第２の観点ではインターホン端末からの呼び出しに対する応答処理のうち、通信制御等の主たる処理はＳＩＰアプリケーションサーバが担い、応答メッセージの生成等の音声や映像を扱う処理はメディアサーバで担うようにしている。一般に、ＳＩＰアプリケーションサーバとメディアサーバは別々に設置されることが多く、上記のように呼び出しに対する応答処理をＳＩＰアプリケーションサーバとメディアサーバで分担することにより、既存のＳＩＰアプリケーションサーバとメディアサーバをそのまま利用でき、安価なシステムを提供できる利点がある。
【００１０】
この発明の第１及び第２の観点は以下のような態様を備えることも特徴としている。  
第１の態様は、上記複数のインターホン端末の識別情報に対応付けて、呼出先となる複数のユーザ端末の識別情報に加えて、その呼出優先順位を表す情報を記憶しておき、上記記憶された呼出優先順位を表す情報に従い、呼出要求元のインターホン端末と呼出先のユーザ端末との間に順にＳＩＰによるセッションを確立するものである。  
このようにすると、呼出先のユーザ端末が複数台登録されている場合に、これらのユーザ端末の呼び出しが優先順位に従い順に行われる。このため、例えば呼出先として登録した家族が複数人いる場合に、これら複数の家族が一斉に応答する不具合を防止することができる。
【００１１】
第２の態様は、インターホン端末が訪問者の画像を撮像してその画像データをＳＩＰにより送信する手段を有する場合に、呼出要求元のインターホン端末との間に確立されたセッションと、呼出先のユーザ端末との間に確立されたセッションとをメディアサーバにより中継する状態で、インターホン端末とユーザ端末との間で伝送される音声データ及び画像データをメディアサーバに記憶させるものである。  
このようにすると、メッセージ生成手段又はメディアサーバから呼出要求元のインターホン端末へ応答メッセージを送信しながら、それと並行してインターホン端末により撮像された訪問者の画像データをメッセージ生成手段又はメディアサーバに記憶させることが可能となる。
【００１２】
第３の態様は、ネットワークアプリケーションサーバは、インターホン端末への応答メッセージの送信結果と、インターホン端末とユーザ端末との間の通信結果をもとに、上記呼出要求に対する応答履歴を表す情報を作成し、この応答履歴情報を該当するインターホン端末又はユーザ端末の識別情報に対応付けて応答履歴記憶手段に記憶する。そして、ユーザ端末から送信される閲覧要求を受信した場合に、当該閲覧要求に含まれる閲覧対象の端末の識別情報をもとに上記応答履歴記憶手段から該当する応答履歴情報を読み出し、この読み出された応答履歴情報を上記要求元のユーザ端末に送信するものである。  
このようにすると、例えば訪問を受けた回数や、訪問に対しユーザ端末が応対した回数、応対しなかった回数等を応答履歴情報として自動的に作成して記憶することができる。そして、ユーザ自身が後にこの応答履歴情報を閲覧して、訪問を受けた回数や、訪問に対し応対した回数、応対しなかった回数等を確認することが可能となる。
【発明の効果】
【００１３】
すなわちこの発明によれば、個人ユーザであっても高度なインターホン機能を安価な費用で利用可能なインターホンシステムとその通信方法を提供することができる。
【図面の簡単な説明】
【００１４】
【図１】この発明の一実施形態におけるインターホンシステムの概略構成図である。
【図２】図１に示したインターホンシステムのＳＩＰアプリケーションサーバのモジュール構成を示すブロック図である。
【図３】図１に示したインターホンシステムの端末ＩＤ対応記憶部に記憶される端末管理データの一例を示す図である。
【図４】図２に示したＳＩＰアプリケーションサーバによる呼出応答処理手順と処理内容の第１の実施例を示すフローチャートである。
【図５】図１に示したインターホンシステムの動作シーケンスの第１の実施例を示すもので、その前半部分を示す図である。
【図６】図１に示したインターホンシステムの動作シーケンスの第１の実施例を示すもので、その後半部分を示す図である。
【図７】図２に示したＳＩＰアプリケーションサーバによる呼出応答処理手順と処理内容の第２の実施例を示すフローチャートである。
【図８】図１に示したインターホンシステムの動作シーケンスの第２の実施例を示すもので、その前半部分を示す図である。
【図９】図１に示したインターホンシステムの動作シーケンスの第２の実施例を示すもので、その後半部分を示す図である。
【発明を実施するための形態】
【００１５】
以下、図面を参照してこの発明に係わる実施形態を説明する。  
図１は、この発明の一実施形態におけるインターホンシステムの概略構成図である。このインターホンシステムは、ＳＩＰ（Session Initiation Protocol, RFC3261等）に対応する固定電話端末ＦＳを収容する第１のＩＰ通信網ＮＷ１と、同じくＳＩＰに対応する携帯電話端末ＭＳ１〜ＭＳｎを収容する第２のＩＰ通信網ＮＷ２を中核とする。そして、上記第１のＩＰ通信網ＮＷ１に、複数のインターホン端末（ドアホン）ＩＵを接続すると共に、ＳＩＰアプリケーションサーバ（ＳＩＰ−ＡＳ）３１、メディアサーバ（ＭＲＦ：Media Resource Function）３２、Ｗｅｂアプリケーションサーバ（Ｗｅｂ−ＡＳ）３３、録音・録画データ蓄積部３４及び端末ＩＤ対応記憶部３５を設置し、これらのサーバ群及び記憶部群によりインターホン呼び出しに対する応答処理を実行するように構成したものである。
【００１６】
第１及び第２のＩＰ通信網ＮＷ１，ＮＷ２は、第三世代の移動通信ネットワークの標準化団体である3GPPにおいて策定されたＩＰマルチメディアサブシステム（ＩＭＳ：IP Multimedia Subsystem）を採用する。ＩＭＳはＳＩＰ（Session Initiation Protocol）を用いることで、サービスの実行制御、端末間のセッション制御、登録処理及び課金処理等を行うサブシステムである。
【００１７】
第１及び第２のＩＰ通信網ＮＷ１，ＮＷ２は、それぞれＣＳＣＦ（Call Session Control Function）等の機能を有するＳＩＰサーバ群１０，２０を備える。ＳＩＰサーバ群１０，２０は、ＩＭＳにより規定される加入者情報データベース（ＨＳＳ：Home Subscriber Server）１１，２１と、複数のセッション制御サーバ（Ｐ−ＣＳＣＦ１２，２２、Ｓ−ＣＳＣＦ１３，２３、Ｉ−ＣＳＣＦ１４，２４）を備える。ＨＳＳ１１，２１には、それぞれ第１及び第２のＩＰ通信網ＮＷ１，ＮＷ２に加入登録されたユーザ端末ＦＳ，ＭＳ１〜ＭＳｎの加入者プロファイル情報が格納される。
【００１８】
複数のインターホン端末ＵＩは、それぞれ個人ユーザ宅の玄関ドア又は門壁等に設置される。各インターホン端末ＵＩは、マイクロホン、スピーカ、カメラ、ＳＩＰ信号送受信部及び制御部を備える。制御部は、自端末に対し予め割り当てられたＳＩＰ−ＵＲＩや電話番号等の端末識別情報を用いて、ＳＩＰアプリケーションサーバ３１及びメディアサーバ３２との間や、固定電話端末ＦＳ及び携帯電話端末ＭＳ１〜ＭＳｎとの間でＳＩＰによる通信を行う。なお、制御部には、通信相手となるＳＩＰサーバ及びＳＩＰ端末の宛先を表す識別情報を、予めＩＰ通信により外部の設定端末ＰＣ等から設定することが可能である。
【００１９】
端末ＩＤ対応記憶部３５には、各インターホン端末ＩＵの識別情報（インターホンＩＤ）にそれぞれ対応付けて、呼び出し先となる固定電話端末ＦＳ及び／又は携帯電話端末ＭＳ１〜ＭＳｎの識別情報（通信端末ＩＤ）と、当該通信端末に対する呼出優先順位を表す情報が記憶される。なお、上記インターホンＩＤ及び通信端末ＩＤは、ＳＩＰ−ＵＲＩ又は電話番号を使用したＳＩＰ対応のメディア通信用コンタクトアドレスにより表される。図３にその一例を示す。
【００２０】
ＳＩＰアプリケーションサーバ３１は、この発明を実施する上でその中核をなすもので、以下の処理機能を備える。  
(1) インターホン端末ＩＵから呼び出しを要求するＳＩＰ信号を受信した場合に、当該ＳＩＰ信号をメディアサーバ３２へ転送してインターホン端末ＩＵとメディアサーバ３３との間にセッションを確立させる処理。  
(2) (1) の処理に続いて、端末ＩＤ対応記憶部３５から呼出先の端末ＩＤとその呼出優先順位を取得し、この端末ＩＤを有する固定電話端末ＦＳ又は携帯電話端末ＭＳ１〜ＭＳｎに向け上記優先順位に従いＳＩＰ信号を送信して、インターホン端末ＩＵと固定電話端末ＦＳ又は携帯電話端末ＭＳ１〜ＭＳｎとの間にセッションを確立させる処理。  
(3) (1) 及び(2) の処理結果に基づいて応対履歴情報を作成し、この作成した応対履歴情報を記憶すると共に、Ｗｅｂアプリケーションサーバ３３からの要求に応じて上記記憶された応対履歴情報を読み出してＷｅｂアプリケーションサーバ３３へ返送する処理。
【００２１】
また、上記各処理機能を実現するためにＳＩＰアプリケーションサーバ３１は、以下のように構成される。図２はその機能構成を示すブロック図である。  
すなわち、ＳＩＰアプリケーションサーバ３１は、応対履歴管理部３１０と、ＳＩＰ信号受信部３１１と、高機能インターホンアプリケーション部３１２と、ＳＩＰ信号送信部３１３を備え、さらにＨＴＴＰ／ＳＯＡＰ信号受信部３１４と、応答履歴管理アプリケーション部３１５と、ＨＴＴＰ／ＳＯＡＰ信号送信部３１４を備える。
【００２２】
応対履歴管理部３１０はハードディスク等の不揮発性メモリを記憶媒体とし、応対履歴情報を記憶する。応対履歴情報は、例えば一日ごとの訪問者数、応対した回数、未応対回数、及び映像メッセージの有無を表す情報を含む。
【００２３】
ＳＩＰ信号受信部３１１は、第１のＩＰ通信網ＮＷ１内のセッション制御サーバ（Ｓ−ＣＳＣＦ１３）から送信されるＳＩＰ信号を受信し、この受信したＳＩＰ信号のヘッダ値情報を高機能インターホンアプリケーション部３１２に渡す。  
高機能インターホンアプリケーション部３１２は、上記ＳＩＰ信号受信部３１１から渡されたＳＩＰ信号のヘッダ値情報と、端末ＩＤ対応記憶部３５から取得した呼出先の端末ＩＤ及び呼出優先順位とに基づいて、インターホン端末ＩＵ、メディアサーバ３２、固定電話端末ＦＳ又は携帯電話端末ＭＳ１〜ＭＳｎへのＳＩＰ信号の送信方法を判断し、その判断結果をＳＩＰ信号送信部３１３へ出力する。またそれと共に、上記応対履歴管理部３１０に記憶された応対履歴情報を更新する。  
ＳＩＰ信号送信部３１３は、上記高機能インターホンアプリケーション部３１２から出力されたＳＩＰ信号を、第１のＩＰ通信網ＮＷ１内のセッション制御サーバ（Ｓ−ＣＳＣＦ１３）へ送信する。
【００２４】
ＨＴＴＰ／ＳＯＡＰ信号受信部３１４は、Ｗｅｂアプリケーションサーバ３３からＨＴＴＰ／ＳＯＡＰ信号を受信し、この受信したＨＴＴＰ／ＳＯＡＰ信号のヘッダ値情報を応対履歴管理アプリケーション部３１５に渡す。  
応対履歴管理アプリケーション部３１５は、上記ＨＴＴＰ／ＳＯＡＰ信号受信部３１４からを渡されたヘッダ値情報に基づいて、応対履歴管理部３１０から該当する応対履歴情報を読み出し、この読み出した応対履歴情報をＨＴＴＰ／ＳＯＡＰ信号送信部３１６へ出力する。  
ＨＴＴＰ／ＳＯＡＰ信号送信部３１６は、上記応対履歴管理アプリケーション部３１５から出力された応対履歴情報をＨＴＴＰ／ＳＯＡＰ信号によりＷｅｂアプリケーションサーバ３３へ送信する。
【００２５】
メディアサーバ３２は、呼び出しに対する応答メッセージを記憶したメモリと、音声コーデック及び画像コーデックを備える。そして、上記ＳＩＰアプリケーションサーバ３１の指示に従い、上記メモリに記憶された応答メッセージをインターホン端末ＩＵへ送信する。また、メディアサーバ３２はメディアブリッジ機能を備え、このメディアブリッジ機能により、インターホン端末ＩＵとの間に確立されるセッションと、固定電話端末ＦＳ又は携帯電話端末ＭＳ１〜ＭＳｎとの間に確立されるセッションとを中継する。そして、この中継中にインターホン端末ＩＵから固定電話端末ＦＳ又は携帯電話端末ＭＳ１〜ＭＳｎへ伝送される訪問者の映像データと、インターホン端末ＩＵと固定電話端末ＦＳ又は携帯電話端末ＭＳ１〜ＭＳｎとの間で伝送される音声データを分岐して、録音・録画データ蓄積部３４へ転送する。
【００２６】
録音・録画データ蓄積部３４は、ハードディスク等の不揮発性メモリを記憶媒体とし、上記メディアサーバ３２から転送された映像データ及び音声データを受け取って上記記憶媒体に蓄積する機能を備える。また、録音・録画データ蓄積部３４は、設定端末ＰＣから再生要求を受信した場合に、この再生要求により指定された応対時の映像データ及び音声データを上記記憶媒体から読み出して、ＨＴＴＰ又はＳＯＡＰ等の汎用のインターネット用プロトコルを用いて上記要求元の設定端末ＰＣへ送信する機能も備える。
【００２７】
Ｗｅｂアプリケーションサーバ３３は、設定端末ＰＣから応対履歴閲覧要求を受信した場合に、この応対履歴閲覧要求を上記ＳＩＰアプリケーションサーバ３１に対しＨＴＴＰ又はＳＯＡＰにより転送する機能を備える。また、上記応対履歴閲覧要求に対しＳＩＰアプリケーションサーバ３１から送られた応対履歴情報を、上記設定端末ＰＣへ送信する機能を備える。
【００２８】
設定端末ＰＣは、家族等が先に述べた端末ＩＤ対応端末３５への端末管理データの登録や変更処理や、応対履歴情報の閲覧処理、録音・録画データ蓄積部３４に蓄積された録音・録画データの再生処理を行う際に使用するもので、ブラウザ機能により図示しないインターネットを介して上記端末ＩＤ対応記憶部３５、Ｗｅｂアプリケーションサーバ３３及び録音・録画データ蓄積部３４にアクセス可能である。
【００２９】
次に、以上のように構成されたインターホンシステムの動作を、メディアサーバ３２でセッションを中継しない第１の実施例と、メディアサーバ３２でセッションを中継する第２の実施例に分けてそれぞれ説明する。なお、端末ＩＤ対応記憶部３５には、設定端末ＰＣから事前に図３に示した端末管理データが登録されているものとして説明を行う。
【００３０】
（１）第１の実施例  
図４は、この第１の実施例におけるＳＩＰアプリケーションサーバ３１の処理手順と処理内容を示すフローチャート、図５及び図６はインターホンシステム全体の動作シーケンスを示す図である。  
ＳＩＰアプリケーションサーバ３１は、待ち受け状態においてステップＳ１１によりSIP INVITEの到来を監視している。この状態で、訪問者がインターホン端末ＩＵにおいて呼び出し操作を行ったとする。そうすると、インターホン端末ＩＵからINVITE SDP c=(1) が送信され、このINVITE SDP c=(1) は、第１のＩＰ通信網ＮＷ１のセッション制御サーバを経由してＳＩＰアプリケーションサーバ３１に転送される。なお、c=(1) は、インターホン端末ＩＵに割り当てられたメディア通信用コンタクトアドレスを示す。
【００３１】
ＳＩＰアプリケーションサーバ３１は、上記INVITE SDP c=(1) の受信をステップＳ１１で確認すると、このINVITE SDP c=(1) のヘッダ情報から送信元がインターホン端末ＩＵであるか否かをステップＳ１４で判定する。この判定の結果、送信元がインターホン端末ＩＵであれば、応対履歴管理部３１０に記憶された来訪者回数をステップＳ１５によりカウントアップしたのち、ステップＳ１６によりメディアサーバ３２に対しINVITE (c=(1))を用いて応答メッセージの再生シナリオを送信する。
【００３２】
メディアサーバ３２は、第１のＩＰ通信網ＮＷ１のセッション制御サーバを経由して上記INVITE (c=(1))により応答メッセージの再生シナリオを受信すると、200 OK SDP c=(3) を返送する。この200 OK SDP c=(3) は、第１のＩＰ通信網ＮＷ１のセッション制御サーバを経由してＳＩＰアプリケーションサーバ３１に転送される。なお、c=(3) は、メディアサーバ３２に割り当てられたメディア通信用コンタクトアドレスを示す。
【００３３】
ＳＩＰアプリケーションサーバ３１は、ステップＳ１２により200 OK の応答を検出し、かつこの200 OKがメディアサーバ３２からのものであることをステップＳ１９で確認すると、ステップＳ２０によりインターホン端末ＩＵに向け上記SDP c=(3) を送信する。かくして、メディアサーバ３２とインターホン端末ＩＵとの間にはＳＩＰによるセッションが確立される。そして、この状態でメディアサーバ３２は、自サーバ内のメモリ又は録音・録画データ蓄積部３４に予め記憶された応答メッセージを読み出し、この応答メッセージを復号して図５に示すようにインターホン端末ＩＵへ送信する。
【００３４】
またＳＩＰアプリケーションサーバ３１は、上記インターホン端末ＩＵへSDP c=(3) を送信すると、ステップＳ１７により、先にインターホン端末ＩＵから受信したINVITE SDP c=(1) のヘッダに含まれるインターホン端末ＩＵのアドレスc=(1) をもとに端末ＩＤ対応記憶部３５に対しアクセスし、当該アドレスc=(1) に対応付けて登録されている呼出先の通信端末のアドレスとその呼出優先順位を取得する。例えば、図３の例では固定電話端末ＦＳのアドレス及び携帯電話端末ＭＳ１，ＭＳ２のアドレスとその呼出優先順位「１」が取得される。そして、取得されたアドレスの呼出優先順位がいずれも第１位であれば、図５に示すように上記取得されたアドレスに対応する固定電話端末ＦＳ及び携帯電話端末ＭＳ１，ＭＳ２に向けて、ステップＳ１８によりINVITE SDP c=(1) を一斉に送信する。なお、取得されたアドレスの呼出優先順位が異なる場合には、優先順位が高い端末から順にINVITE SDP c=(1) を送信する。これらのINVITE SDP c=(1) はそれぞれ、第１のＩＰ通信網ＮＷ１のセッション制御サーバを経由して宛先の固定電話端末ＦＳ及び携帯電話端末ＭＳ１，ＭＳ２に転送される。
【００３５】
上記INVITE SDP c=(1) の送信後にＳＩＰアプリケーションサーバ３１は、ステップＳ１２により200 OK の応答を監視する。この状態で、例えば図６に示すように携帯電話端末ＭＳ２でオフフック操作が行われ、これに伴い携帯電話端末ＭＳ２から200 OK SDP c=(5) が返送されたとする。なお、c=(5) は携帯電話端末ＭＳ２に割り当てられたメディア通信用コンタクトアドレスを示す。
【００３６】
ＳＩＰアプリケーションサーバ３１は、上記ステップＳ１２により200 OK の応答を検出し、かつこの200 OKが携帯電話端末ＭＳ２からのものであることをステップＳ２１で確認すると、ステップＳ２２によりインターホン端末ＩＵに向けUPDATE SDP c=(5) を送信する。かくして、携帯電話端末ＭＳ２とインターホン端末ＩＵとの間にはＳＩＰによるセッションが確立され、以後両端末ＩＵ，ＭＳ２間で通話が可能になる。  
なお、上記携帯電話端末ＭＳ２からの200 OK SDP c=(5) を受信するとＳＩＰアプリケーションサーバ３１は、INVITE SDP c=(1) を送信した他の通信端末、つまり固定電話端末ＦＳ及び携帯電話端末ＭＳ１に向けCANCELを送信する。
【００３７】
上記通話中に、携帯電話端末ＭＳ２においてオンフック操作が行われると、携帯電話端末ＭＳ２からBYEが送信され、このBYEはＳＩＰアプリケーションサーバ３１経由してインターホン端末ＩＵへ転送される。かくして、上記セッションは解放され、通話は終了となる。
【００３８】
また、ＳＩＰアプリケーションサーバ３１は、インターホン端末ＩＵから上記UPDATE SDP c=(5) に対する応答として200 OK SDP c=(5) が返送されると、ステップＳ２５からステップＳ２６に移行し、応対履歴管理部３１０に記憶された応対回数をカウントアップする。なお、上記呼出先の各通信端末へINVITE SDP c=(5) を送信してから一定時間が経過してもいずれの通信端末からも200 OK が返送されず、インターホンＩＵと呼出先の通信端末との間で通話が行われなかった場合には、ＳＩＰアプリケーションサーバ３１は応対履歴管理部３１０に記憶された非応対回数をカウントアップする。
【００３９】
上記応対履歴管理部３１０に記憶された応対履歴情報は、以下のように閲覧することが可能である。すなわち、先ず設定端末ＰＣからＷｅｂアプリケーションサーバ３３に対しアクセスして閲覧要求を入力する。Ｗｅｂアプリケーションサーバ３３は、図６に示すように応対履歴の閲覧要求をHTTP/SOAPによりＳＩＰアプリケーションサーバ３１に対し送信する。ＳＩＰアプリケーションサーバ３１は、上記応対履歴の閲覧要求を受信するとこの要求に含まれるインターホンＩＤに基づいて対応履歴管理部３１０から該当する応対履歴情報を読み出し、この読み出された応対履歴情報をHTTP/SOAP の200 OKとして要求元のＷｅｂアプリケーションサーバ３３へ返送する。この応対履歴情報は、Ｗｅｂアプリケーションサーバ３３から要求元の設定端末ＰＣへ転送される。かくして、ユーザは自身の設定端末ＰＣにおいて、Ｗｅｂアプリケーションサーバ３３を介して自宅の応対履歴情報を確認することができる。
【００４０】
（２）第２の実施例  
図７は、この第２の実施例におけるＳＩＰアプリケーションサーバ３１の処理手順と処理内容を示すフローチャート、図８及び図９はインターホンシステム全体の動作シーケンスを示す図である。  
ＳＩＰアプリケーションサーバ３１は、待ち受け状態においてステップＳ３１によりSIP INVITEの到来を監視している。この状態で、訪問者がインターホン端末ＩＵにおいて呼び出し操作を行ったとする。そうすると、インターホン端末ＩＵからINVITE SDP c=(1) が送信され、このINVITE SDP c=(1) は、第１のＩＰ通信網ＮＷ１のセッション制御サーバを経由してＳＩＰアプリケーションサーバ３１に転送される。なお、c=(1) は、インターホン端末ＩＵに割り当てられたメディア通信用コンタクトアドレスを示す。
【００４１】
ＳＩＰアプリケーションサーバ３１は、上記INVITE SDP c=(1) の受信をステップＳ１１で確認すると、このINVITE SDP c=(1) のヘッダ情報から送信元がインターホン端末ＩＵであるか否かをステップＳ３４で判定する。この判定の結果、送信元がインターホン端末ＩＵであれば、応対履歴管理部３１０に記憶された来訪者回数をステップＳ３５によりカウントアップしたのち、ステップＳ３６によりメディアサーバ３２に対しINVITE (c=(1))を用いて応答メッセージの再生シナリオを送信する。
【００４２】
メディアサーバ３２は、第１のＩＰ通信網ＮＷ１のセッション制御サーバを経由して上記INVITE (c=(1))により応答メッセージの再生シナリオを受信すると、200 OK SDP c=(3) を返送する。この200 OK SDP c=(3) は、第１のＩＰ通信網ＮＷ１のセッション制御サーバを経由してＳＩＰアプリケーションサーバ３１に転送される。なお、c=(3) は、メディアサーバ３２に割り当てられたメディア通信用コンタクトアドレスを示す。
【００４３】
ＳＩＰアプリケーションサーバ３１は、ステップＳ３２により200 OK の応答を検出し、かつこの200 OK がメディアサーバ３２からのものであること、つまり200 OK (3) であることをステップＳ３８で確認すると、ステップＳ３９によりインターホン端末ＩＵに向け上記SDP c=(3) を送信する。かくして、メディアサーバ３２とインターホン端末ＩＵとの間にはＳＩＰによるセッションが確立される。そして、この状態でメディアサーバ３２は、自サーバ内のメモリ或いは録音・録画データ蓄積部３４に予め記憶された応答メッセージを読み出し、この応答メッセージを復号して図８の例に示すようにインターホン端末ＩＵへ送信する。
【００４４】
次にＳＩＰアプリケーションサーバ３１は、ステップＳ３７により、メディア通信用コンタクトアドレスとしてダミーアドレスを用いたINVITE SDP (c=ダミーアドレス)を生成し、このINVITE SDP (c=ダミーアドレス)をメディアサーバ３２に向け送信する。上記INVITE SDP (c=ダミーアドレス) を受信するとメディアサーバ３２は、200 OK SDP c=(3)′を返送する。
【００４５】
上記200 OK SDP c=(3)′の返送をステップＳ４０で確認するとＳＩＰアプリケーションサーバ３１は、ステップＳ４１により、先にインターホン端末ＩＵから受信したINVITE SDP c=(1) のヘッダに含まれるインターホン端末ＩＵのアドレスc=(1) をもとに端末ＩＤ対応記憶部３５に対しアクセスし、当該アドレスc=(1) に対応付けて登録されている呼出先の通信端末のアドレスとその呼出優先順位を取得する。例えば、図３の例では固定電話端末ＦＳのアドレス及び携帯電話端末ＭＳ１，ＭＳ２のアドレスが、その呼出優先順位「１」と共に取得される。そして、この取得されたアドレスの呼出優先順位がいずれも第１位であれば、図８に示すようにこれらの固定電話端末ＦＳ及び携帯電話端末ＭＳ１，ＭＳ２に向けてステップＳ４２によりINVITE SDP c=(3)′を一斉に送信する。これらのINVITE SDP c=(3)′はそれぞれ、第１のＩＰ通信網ＮＷ１のセッション制御サーバを経由して宛先の固定電話端末ＦＳ及び携帯電話端末ＭＳ１，ＭＳ２に転送される。
【００４６】
上記INVITE SDP c=(3)′の送信後にＳＩＰアプリケーションサーバ３１は、ステップＳ４３により200 OK の応答を監視する。この状態で、例えば図９に示すように携帯電話端末ＭＳ２でオフフック操作が行われ、これに伴い携帯電話端末ＭＳ２から200 OK SDP c=(5) が返送されたとする。なお、c=(5) は携帯電話端末ＭＳ２に割り当てられたメディア通信用コンタクトアドレスを示す。
【００４７】
ＳＩＰアプリケーションサーバ３１は、上記ステップＳ４３により200 OK の応答を検出し、かつこの200 OKが携帯電話端末ＭＳ２からのものであることを確認すると、ステップＳ４４によりメディアサーバ３２に向けUPDATE SDP c=(5) を送信する。かくして、上記応答した携帯電話端末ＭＳ２とメディアサーバ３２との間にセッションが確立される。そしてメディアサーバ３２は、図９に示すように、以後上記携帯電話端末ＭＳ２との間に確立されたセッションと、先にインターホン端末ＩＵとの間に確立したセッションとを中継する。つまりメディアブリッジする。
【００４８】
したがって、以後携帯電話端末ＭＳ２とインターホン端末ＩＵとの間では通話が可能となる。また、このときメディアサーバ３２は、上記携帯電話端末ＭＳ２とインターホン端末ＩＵとの間で伝送される通話音声データを分岐抽出し、録音・録画データ蓄積部３４へ出力する。録音・録画データ蓄積部３４は、上記メディアサーバ３２から送られた通話音声データを、インターホン端末ＩＵ及び携帯電話端末ＭＳ２の端末ＩＤと対応付けて記憶する。なお、このとき上記インターホン端末ＩＵから携帯電話端末ＭＳ２へ伝送される訪問者の映像データと音声データを片方向テレビ電話データとして分岐抽出し、録音・録画データ蓄積部３４に記憶させることも可能である。上記双方向の通話音声データを記憶させるか、或いは片方向テレビ電話データを記憶させるかは、設定端末ＰＣから予めメディアサーバ３２に設定しておくことができる。
【００４９】
なお、上記携帯電話端末ＭＳ２からの200 OK SDP c=(5) を受信するとＳＩＰアプリケーションサーバ３１は、INVITE SDP c=(3)′を送信した呼出先の他の通信端末、つまり固定電話端末ＦＳ及び携帯電話端末ＭＳ１に向けそれぞれCANCELを送信し、INVITEをキャンセルする。
【００５０】
上記通話中に、携帯電話端末ＭＳ２においてオンフック操作が行われると、携帯電話端末ＭＳ２からBYEが送信され、このBYEはＳＩＰアプリケーションサーバ３１経由してインターホン端末ＩＵへ転送される。かくして、上記セッションは解放され、通話は終了となる。
【００５１】
また、ＳＩＰアプリケーションサーバ３１は、インターホン端末ＩＵから上記UPDATE SDP c=(5) に対する応答として200 OK SDP c=(5) が返送されると、ステップＳ４６からステップＳ４７に移行し、応対履歴管理部３１０に記憶された応対回数をカウントアップする。なお、上記呼出先の各通信端末へINVITE SDP c=(3)′を送信してから一定時間が経過してもいずれの通信端末からも200 OK が返送されず、インターホンＩＵと呼出先の通信端末との間で通話が行われなかった場合には、ＳＩＰアプリケーションサーバ３１は応対履歴管理部３１０に記憶された非応対回数をカウントアップする。
【００５２】
以上詳述したようにこの実施形態では、インターホン端末ＩＵにＳＩＰ対応機能を持たせて第１のＩＰ通信網ＮＷ１に接続し、かつ第１のＩＰ通信網ＮＷ１にＳＩＰアプリケーションサーバ３１及びメディアサーバ３２を接続している。そして、インターホン端末ＩＵからＳＩＰ信号による呼出要求が送られた場合に、ＳＩＰアプリケーションサーバ３１の制御の下で、インターホン端末ＩＵとメディアサーバ３３との間にセッションを確立してメディアサーバ３２からインターホン端末ＩＵへ応答メッセージを送信し、さらに端末ＩＤ対応記憶部３５に記憶される端末ＩＤをもとに呼出先の通信端末とインターホン端末ＩＵとの間にセッションを確立して両端末間で通話を可能にしている。
【００５３】
したがって、複数のユーザ宅に設置されるインターホン端末ＩＵからの呼び出しに対する応答処理がＳＩＰアプリケーションサーバ３１により一括して行われることになる。言い換えれば、複数のインターホン端末ＩＵが１台のＳＩＰアプリケーションサーバ３１を共有することになる。このため、呼び出しに対する応答処理機能等をすべて備えたインターホンシステムをユーザごとに設置する必要がなくなり、また複数のユーザがインターホンの応答処理機能等を共有するために構内サーバ等を設置する必要もなくなる。したがって、インターホンシステムを設置する際のユーザの費用負担を大幅に軽減できる。
【００５４】
また、呼出先となるユーザの通信端末とメディアサーバ３２との間、及び呼出要求元のインターホン端末ＩＵと上記メディアサーバ３２との間にそれぞれＳＩＰによるセッションを確立して、これらのセッションをメディアサーバ３２のメディアブリッジ機能により中継するようにしている。このため、呼出先の通信端末とインターホン端末ＩＵとの間で伝送される通話音声データをメディアサーバ３２により分岐抽出して、録音・録画データ蓄積部３４に蓄積させることが可能となる。また、インターホン端末ＩＵから携帯電話端末ＭＳ２へ伝送される訪問者の映像データと音声データを片方向テレビ電話データとしてメディアサーバ３２で分岐抽出して、録音・録画データ蓄積部３４に記憶させることも可能となる。
【００５５】
さらに、ＳＩＰアプリケーションサーバ３１において、上記セッションを用いた通信結果に基づいて応対履歴情報を作成して保存し、Ｗｅｂアプリケーションサーバ３３を経由した設定端末ＰＣからの閲覧要求に応じて上記保存された応対履歴情報を読み出してＷｅｂアプリケーションサーバ３３へ送信し、設定端末ＰＣにおいて閲覧できるようにしている。このためユーザは、例えば自宅の設定端末ＰＣからＷｅｂアプリケーションサーバ３３を経由して応対履歴情報を閲覧することにより、自宅への訪問者数や、応対回数、非応対回数、映像メッセージの有無等を随時簡単に確認することが可能となる。
【００５６】
なお、この発明は上記実施形態に限定されるものではない。例えば、上記実施形態では呼出先の複数の通信端末に対し優先順位を同一順位に設定した場合を例にとって説明した。しかし、それに限らず複数の通信端末に対し異なる優先順位を設定し、この優先順位に従い呼出要求元のインターホン端末と呼出先のユーザ端末との間に順にＳＩＰによるセッションの確立を試行するようにしてもよい。このようにすると、呼出先のユーザ端末が複数台登録されている場合に、これらのユーザ端末の呼び出しが優先順位に従い順に行われる。このため、例えば呼出先として登録した家族が複数人いる場合に、これら複数の家族が一斉に応答する不具合を防止することができる。
【００５７】
また前記実施形態では、メディアサーバ３２、Ｗｅｂアプリケーションサーバ３３、録音・録画データ蓄積部３４及び端末ＩＤ対応機億部３５を、ＳＩＰアプリケーションサーバ３１に対し独立して設置した場合を例にとって説明したが、メディアサーバ３２、Ｗｅｂアプリケーションサーバ３３、録音・録画データ蓄積部３４及び端末ＩＤ対応機億部３５の各機能のすべて又は一部を、ＳＩＰアプリケーションサーバ３１内に設けるようにしてもよい。
【００５８】
その他、ＳＩＰアプリケーションサーバの構成とその機能、システムの動作シーケンス等についても、この発明の要旨を逸脱しない範囲で種々変形して実施可能である。  
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００５９】
ＮＷ１…第１のＩＰ通信網、ＮＷ２…第２のＩＰ通信網、ＩＵ…インターホン端末、ＦＳ…固定電話端末、ＭＳ１〜ＭＳｎ…携帯電話端末、ＰＣ…設定端末、１０，２０…ＣＳＣＦｓ、３１…ＳＩＰアプリケーションサーバ、３２…メディアサーバ（ＭＲＦ）、３３…Ｗｅｂアプリケーションサーバ、３４…録音・録画データ蓄積部、３５…端末ＩＤ対応記憶部、３１０…応対履歴管理部、３１１…ＳＩＰ信号受信部、３１２…高機能インターホンアプリケーション部、３１３…ＳＩＰ信号送信部、３１４…ＨＴＴＰ／ＳＯＡＰ信号受信部、３１５…応答履歴管理アプリケーション部、３１６…ＨＴＴＰ／ＳＯＡＰ信号受信部。
【図１】
2010278984.tif 000003
【図２】
2010278984.tif 000004
【図３】
2010278984.tif 000005
【図４】
2010278984.tif 000006
【図５】
2010278984.tif 000007
【図６】
2010278984.tif 000008
【図７】
2010278984.tif 000009
【図８】
2010278984.tif 000010
【図９】
2010278984.tif 000011